(57)【要約】      （修正有）【課題】ダブルフォールディング・ポータブル・ファンの提供。【解決手段】クラムシェル一１を含み、その一端に回転軸二４、それにマウンティング・スロット付きのマウンティング・ボードを設置、前記マウンティング・ボードは回転軸二により、前記マウンティング・ボードの前記マウンティング・スロット中に二つの回転軸一３により二つのクラムシェル二６を取付、回転軸一よりマウンティング・スロット中で回り、前記クラムシェル二にはフォールディング・ブレードがあり、前記フォールディング・ブレードは、ブレード固定蓋８によりクラムシェル二に固定、前記ブレード固定蓋中は内蔵モータ５を設置、前記クラムシェル一には２つのクラムシェル二を置く放置スペースを設置、２つの前記クラムシェル二は回転軸一によりマウンティング・スロットに折畳まれ、前記フォールディング・ブレードはクラムシェル二に折畳まれ、２つの前記クラムシェル二、前記フォールディング・ブレードは、折畳後、回転軸二によりクラムシェル一の放置スペースに入る。【選択図】図１
0003221703.tif 000002
【実用新案登録請求の範囲】
【請求項１】
ダブルフォールディング・ポータブル・ファンであって、
クラムシェル一が含まれ、クラムシェル一の一端に回転軸二が設置され、回転軸二にマウンティング・スロット付きのマウンティング・ボードが設置され、前記マウンティング・ボードは回転軸二により、クラムシェル一の上で回り、マウンティング・ボードのマウンティング・スロットの中には二つの回転軸一により二つのクラムシェル二を取り付け、前記クラムシェル二は回転軸一によりマウンティング・スロットの中で回り、さらに、クラムシェル二にはフォールディング・ブレードが設置され、前記フォールディング・ブレードはブレード固定蓋によりクラムシェル二に固定され、ブレード固定蓋の中には内蔵モーターが設置され、前記クラムシェル一には２つのクラムシェル二を置く放置スペースが設置され、２つのクラムシェル二は回転軸一によりマウンティング・スロットに折り畳まれ、フォールディング・ブレードはクラムシェル二に折り畳まれることができ、２つのクラムシェル二、フォールディングブレードは折り畳まれてから、回転軸二によりクラムシェル一の放置スペースに入れられることを特徴とするダブルフォールディング・ポータブル・ファン。
【請求項２】
回転軸二には電源と電源スイッチが設置されることを特徴とする請求項１記載のダブルフォールディング・ポータブル・ファン。
【請求項３】
二つの回転軸一がマウンティング・ボードの両側に設置されることを特徴とする請求項２記載のダブルフォールディング・ポータブル・ファン。
【請求項４】
クラムシェル二には２セットのフォールディング・ブレードが設置されることを特徴とする請求項３記載のダブルフォールディング・ポータブル・ファン。
【考案の詳細な説明】
【技術分野】
【０００１】
本考案はファンに関するもので、特にダブルフォールディング・ポータブル・ファンに関するものである。
【背景技術】
【０００２】
現在、市場にある大部分のポータブル・ファンは、シングル・モーターによる駆動で、且つ一体化したブレードであり、折り畳めないものである。
【考案の概要】
【考案が解決しようとする課題】
【０００３】
上記に言及した技術の不足に対して、本考案は傘及びその縫付不要露先を提供することを目的とし、組立作業が更に安全になり、傘の製造の効率が高くなる。
【課題を解決するための手段】
【０００４】
本考案は、上述問題を解決するために採用されるダブルフォールディング・ポータブル・ファンである。その具体的な技術案は下記通りである。
クラムシェル一が含まれ、クラムシェル一の一端に回転軸二が設置され、回転軸二にマウンティング・スロット付きのマウンティング・ボードが設置され、前記マウンティング・ボードは回転軸二により、クラムシェル一の上で回り、マウンティング・ボードのマウンティング・スロットの中には二つの回転軸一により二つのクラムシェル二を取り付け、前記クラムシェル二は回転軸一によりマウンティング・スロットの中で回り、さらに、クラムシェル二にはフォールディング・ブレードが設置され、前記フォールディング・ブレードはブレード固定蓋によりクラムシェル二に固定され、ブレード固定蓋の中には内蔵モーターが設置され、前記クラムシェル一には２つのクラムシェル二を置く放置スペースが設置され、２つのクラムシェル二は回転軸一によりマウンティング・スロットに折り畳まれ、フォールディング・ブレードはクラムシェル二に折り畳まれることができ、２つのクラムシェル二、フォールディングブレードは折り畳まれてから、回転軸二によりクラムシェル一の放置スペースに入れられる。
【０００５】
好ましくは、回転軸二には電源と電源スイッチが設置される。また、好ましくは、二つの回転軸一がマウンティング・ボードの両側に設置される。さらに、好ましくは、クラムシェル二には２セットのフォールディング・ブレードが設置される。
【考案の効果】
【０００６】
本考案は、既存技術と比べては、下記のような有益効果がある。クラムシェル一、回転軸一、回転軸二、クラムシェル二、フォールディング・ブレードを採用することにより、体積の折り畳みがよく実現され、携帯しやすくなること。
【図面の簡単な説明】
【０００７】
【図１】ダブルフォールディング・ポータブル・ファンの構造見取り図である。
【図２】折り畳まれた後の見取り図である。
【図３】折り畳まれた後の見取り図である。
【図４】開けられた後の見取り図である。
【考案を実施するための形態】
【０００８】
下記から、図面と具体的実施例とを結び合わせ、本考案に対し、更なる説明を行う。
本考案は、ダブルフォールディング・ポータブル・ファンを提供している。クラムシェル一１の一端に回転軸二４が設置され、回転軸二４にマウンティング・スロット付きのマウンティング・ボードが設置される。上述マウンティング・ボードは回転軸二４によりクラムシェル一１の上で回る。
【０００９】
マウンティング・ボードのマウンティング・スロットの中には二つの回転軸一３により二つのクラムシェル二６を取り付ける。上述クラムシェル二６は回転軸一３によりマウンティング・スロットの中で回ることを実現する。
【００１０】
また、クラムシェル二６にはフォールディング・ブレード７が設置される。上述フォールディング・ブレード７はブレード固定蓋８によりクラムシェル二６に固定される。ブレード固定蓋８の中には内蔵モーター６が設置される。上述クラムシェル一１には二つのクラムシェル二５を置く放置スペースが設置される。
【００１１】
二つのクラムシェル二６は回転軸一３によりマウンティング・スロットに折り畳まれ、フォールディング・ブレード７はクラムシェル二６に折り畳まれることができる。二つのクラムシェル二６、フォールディングブレード７は折り畳まれてから、回転軸二４によりクラムシェル一１の放置スペースに入れられる。
【００１２】
また、回転軸二４に電源と電源スイッチ２が設置され、二つの回転軸一３がマウンティング・ボードの両側に設置され、クラムシェル二６に２セットのフォールディング・ブレード７が設置される。
【００１３】
本考案は、上記のような良い実施例により示されているが、それは本考案を限定するものではない。本考案の主旨と範囲を逸脱しない前提では、本分野の技術者ならだれでも一部の修正や改善を行うことができるので、本考案の保護範囲は権利請求書に準じることとする。
【符号の説明】
【００１４】
１  クラムシェル一
２  電源スイッチ
３  回転軸一
４  回転軸二
５  内蔵モーター
６  クラムシェル二
７  フォールディング・ブレード
８  ブレード固定蓋
【図１】
0003221703.tif 000003
【図２】
0003221703.tif 000004
【図３】
0003221703.tif 000005
【図４】
0003221703.tif 000006